(57)【要約】【課題】  従来の貝表面清浄機用ホッパーによっては、貝移送体の送り片による押しにより、貝の周縁部が欠損することがあった。【解決手段】  本件出願のホッパーは、貝を投入するホッパーにおいて、投入された貝を縦向きにして案内可能なポケットを備え、ポケットの底部に貝の外周縁部が突出する開口部が形成されたものである。また、本件出願の貝表面清浄機用ホッパーは、貝を投入するホッパーを備え、ホッパー内の貝を移動通路内に供給し、貝が移動通路内を移送される間に、その貝の表面の汚れを除去する貝表面清浄機のホッパーに、投入された貝を縦向きにして移動通路側に案内するポケットを設け、ポケットの底部に貝の外周縁部が突出する開口部を形成したものである。ポケットは上方及び前方は開口し、底部を下方細りに形成することができる。ポケットの上方開口部の外周には、投入される貝をポケットに案内する投入ガイドを備えることもできる。【選択図】図１
2006101725.tif 000002
【特許請求の範囲】
【請求項１】
貝を投入するホッパーにおいて、底と周壁の内側に貝案内通路を有するポケットを備え、貝案内通路は投入された貝を縦向きにして案内できるように出口側が細く形成され、底のうち貝案内通路の出口側に貝の外周縁部が突出可能な開口部が形成されたことを特徴とするホッパー。
【請求項２】
請求項１記載のホッパーにおいて、ポケットは上方及び前方が開口していることを特徴とするホッパー。
【請求項３】
請求項１又は請求項２記載のホッパーにおいて、ポケットの上方開口部の外周外側に、投入される貝をポケットの貝案内通路に案内する投入ガイドが形成されたことを特徴とするホッパー。
【請求項４】
ホッパー内に投入された貝が移動通路内に供給され、貝が移動通路内を移送される間に、その貝の表面の汚れが除去される貝表面清浄機において、前記ホッパーは底と周壁の内側に貝案内通路を有するポケットを備え、貝案内通路は投入された貝を縦向きにして案内できるように出口側が細く形成され、底のうち貝案内通路の出口側に貝の外周縁部が突出可能な開口部が形成されたことを特徴とするホッパー付き貝表面清浄機。
【請求項５】
請求項４記載のホッパー付き貝表面清浄機において、ホッパーのポケットは上方及び前方が開口していることを特徴とするホッパー付き貝表面清浄機。
【請求項６】
請求項４又は請求項５記載のホッパー付き貝表面清浄機において、ホッパーのポケットの上方開口部の外周外側に、投入される貝をポケットに案内する投入ガイドが形成されたことを特徴とするホッパー付き貝表面清浄機。
【発明の詳細な説明】
【技術分野】
【０００１】
本発明は各種機器に取付けて使用される貝投入用のホッパー、及び、それを取り付けた貝表面清浄機に関するものである。
【背景技術】
【０００２】
帆立貝、牡蠣等を海中に吊るして養殖する場合、海中に吊るしている間に貝の殻の表面に藻や海中のごみなどが付着する。これら付着物は貝表面清浄機で掻き落として除去している。従来の貝表面清浄機は、側面Ｖ字状の移動通路内に供給された貝を、貝移送体の回転により移動通路の入口側から出口側に移送し、その移送中に、移動通路の両外側方に配置された掃除具を回転させ、掃除具の爪を貝表面に接触させて貝表面に付着している付着物を掻き落すようにしてある（特許文献１参照）。移動通路の入口側には貝を供給するホッパーがある。従来のホッパーＡは、図１０、図１１（ａ）（ｂ）に示すように、ポケットＢと投入ガイドＣを備え、ポケットＢは上方及び前方が開口し、周壁Ｄ及び底Ｅが下方細りの斜め下向きに形成されて、周壁Ｄ及び底Ｅに囲われた貝案内通路Ｆが形成され、貝案内通路Ｆに投入された貝Ｓが自動的に縦向きになって、ホッパーの斜め下方の貝表面清浄機の移動通路内に案内されるようにしてある。前記投入ガイドＣは円弧状であり、ポケットＢの上方開口部の外周外側に取付けられて、貝ＳがポケットＢ内に確実に案内されるようにしてある。
【０００３】
【特許文献１】実公昭５２−４３６７６号公報。
【発明の開示】
【発明が解決しようとする課題】
【０００４】
従来の貝表面清浄機のホッパーには次のような課題があった。
（１）図１１（ｂ）に示すように、貝の外周縁部がポケットＢの底Ｅの上を転がる（移動する）ため、貝移送体の回転する送り片Ｇの先端部Ｈが、ポケットＢ内の貝Ｓを貝表面清浄機の移動通路へ送り出す（供給する）ときに、貝Ｓが貝表面清浄機の送り片Ｇの先端部Ｈで押されてポケットＢの底Ｅに押し付けられる。このため、幅が細くなるポケットＢの案内通路Ｆの下部で、貝Ｓの外周縁部が底Ｅの下部Ｊに強く押されて欠けることがある。貝Ｓの外周縁部が欠けると貝のサイズが小さくなったり、見栄えが悪くなったりして貝の階級（等級）が下がったり、商品価値が低下して価格が低下するといったことがある。
（２）貝Ｓの外周縁部が凹凸しているため、ポケットＢの貝案内通路Ｆの底Ｄの上を転がり落ちる（移動する）貝Ｓが、跳ねる等して滑らかに転がらず（移動せず）、貝Ｓが貝案内通路Ｆの終端から、貝表面清浄機の移動通路内にスムースに送り出されないことがある。
【課題を解決するための手段】
【０００５】
本件出願のホッパーは、底と周壁の内側に貝案内通路を有するポケットを備え、貝案内通路は出口側を細くして、貝案内通路に投入された貝が自動的に縦向きになって貝案内通路内を転がり落ちるようにしてある。底のうち貝案内通路の出口側には貝の外周縁部が突出可能な開口部を形成して、貝案内通路内の貝を貝表面清浄機の送り片で貝表面清浄機に送り込むときに、送り片による貝案内通路の底への貝の押し付けが緩和されるようにしてある。ポケットは上方が開口して外から貝を投入し易くしてあり、前方が開口して貝表面清浄機の送り片で貝案内通路内の貝を送り出し易くしてある。また、ポケットの上方開口部の外周にその外側に突出する投入ガイドを設けて、投入される貝がポケットの案内通路内に確実に案内されるようにしてある。
【０００６】
本件出願のホッパー付き貝表面清浄機は、ホッパー内に投入された貝が移動通路内に供給され、貝が移動通路内を移送される間に、その貝の表面の汚れが除去される貝表面清浄機であり、その移動通路の手前に前記ホッパーを設けたものである。
【発明の効果】
【０００７】
本件出願のホッパー及び貝表面清浄機のホッパーは、投入した貝の外周縁部が突出する開口部がポケットの底に形成されているので、次のような効果がある。
（１）貝案内通路内の貝が、貝表面清浄機の貝移送体の送り片により、貝表面清浄機の移動通路に送り出されるときに、貝に下向きの強い力が加えられても、貝の外周縁部がポケットの貝案内通路の底の開口部から下方に突出するので、貝に加わる力が緩衝され、貝の外周縁部が欠けることがなく、貝の商品価値の低下を防止することができる。
（２）貝の外周縁部が凹凸していても、貝の外周縁部がポケットの貝案内通路の底の開口部から下方に突出するので、底の上を転がり落ちてくる貝が、貝案内通路の下端部で跳ねることがなく、貝がスムースに貝表面清浄機の移動通路内に送り出される。
【０００８】
本件出願のホッパー及び貝表面清浄機のホッパーは、ポケットが上方及び前方開口で、ポケットの貝案内通路の出口側が細くなっているため、貝案内通路に投入された貝が自動的に縦向きになって貝案内通路内をスムースに転がって貝表面清浄機の移動通路内にスムースに送り出される、という効果がある。
【０００９】
本件出願のホッパー及び貝表面清浄機のホッパーは、ポケットの上方開口部の外周に投入ガイドを備えたので、投入される貝は投入ガイドによりポケット内に確実に案内され、ホッパーの外に落下することが殆ど無く、落下による貝の損傷や死滅などがない。また、貝をポケットよりも外側の投入ガイドに投入すればよいため、貝を投入する手をポケットの奥まで入れる必要が無く、手や指先などが貝表面清浄機の貝移送体の送り片に接触したり、巻き込まれたりして怪我をすることが無く、安全であり、労務管理の面でも好ましい、といった効果がある。
【発明を実施するための最良の形態】
【００１０】
（実施形態１）
本発明のホッパー及びホッパー付貝表面清浄機の実施形態を図面に基づいて説明する。図１に示すホッパー１は、上方及び前方開口のポケット２と、そのポケット２の上方開口部２ａの外側に備えられた投入ガイド３を備えている。ポケット２は上方開口とすることにより、図３（ｂ）、図４、図５に示すように、貝移送体１４の送り片２０がポケット２の上方開口部２ａから入り込んで、ポケット２の貝案内通路１０内に投入された貝Ｓを下方に押さえつつ前方に転がして、貝表面清浄機の移動通路１３に送り込む（供給する）ことができるようにしてある。
【００１１】
前記ポケット２は、図１〜図３に示すように、板材を曲げたり、板材を組み合わせて溶接したり、接着したりして形成されている。ポケット２には周壁２ｂと底２ｃで囲われた上方及び前方開口の案内通路１０が形成されている。周壁２ｂ及び底２ｃは図３（ａ）（ｂ）に示すように、前方細り及び下方細りの斜め下向きに形成されている。従って、案内通路１０は、図に示すように下方細りに形成され、投入された貝が自動的に縦向きになって案内通路１０内をスムースに転がって、案内通路１０の斜め前下方の貝表面清浄機の移動通路１３内にスムースに案内されるようにしてある。ポケット２に用いる板材は金属製や硬質樹脂製等任意のものとすることができる。ポケット２は板材を加工するのではなく、樹脂成型や他の方法で作ることもできる。
【００１２】
ポケット２の底２ｃの下部４には、図１〜図３に示すように、前方（移動通路側）が次第に広くなる開口部５が開口されている。この開口部５は貝Ｓの外周縁部が下方に突出する幅としてある。また、開口部５の両側壁には貝で押されて開き過ぎるのを防止するために、両側壁間を連結したり、両側壁に補強材を取り付けたり、両側壁を肉厚にしたり、両側壁にリブを形成する等することもできる。開口部５の形状は図３（ｂ）に示すように、貝Ｓの外周縁部がポケット２の下方に突出する幅であれば任意の広さ、長さ、形状等とすることができる。いずれの場合も、貝がポケット２の貝案内通路１０内に縦、横いずれの向きで投入されても、自動的に縦向きになって落下して斜め前下方の移動通路にガイドされるようにしてある。
【００１３】
図１〜図３に示すように、ポケット２の上方開口部２ａの両外側には取付け部６が形成されている。取付け部６はホッパー１を貝表面清浄機に取付けるためのものである。図１、２に示す取付け部６は板材を外側に曲げて下向きコ字状に形成してある。取付け部６は、例えば図４、図５のように貝表面清浄機の架台１１等に固定することにより、移動通路１３の入口側にホッパー１を取付けることができる。取付け部６は貝表面清浄機に取付け可能な形状、構造であれば、図に示す以外の形状、構造とすることができる。
【００１４】
前記投入ガイド３は図１〜図３に示すように円弧状の鍔の形状をしており、中央開口縁８をポケット２の上方開口部２ａの外周縁の上にのせてその外側に突出させ、溶接とか、接着材等で固定してある。投入ガイド３の上方外周縁部は図２に示すように外方に折り返してリブ７とし、貝の投入時に手や指先が接触しても切れないようにしてある。投入ガイド３もポケット２と同様に金属製、硬質樹脂製等、任意の材質製とすることができる。投入ガイド３はポケット２と一体に樹脂成型することもできる。投入ガイド３の大きさ、形状等も図に示すものに限られず、任意の大きさ、形状等とすることができる。
【００１５】
（ホッパー付貝表面清浄機）
本発明のホッパー付貝表面清浄機の一例を図４、図５に基づいて説明する。図４の貝表面清浄機は四角い枠形の架台１１の四方のコーナーに支持脚１２を備え、該架台１１の内側に移動通路１３を設け、移動通路１３の上部に貝移送体１４を設け、移動通路１３の左右両側に掃除具１５ａ、１５ｂを設けてある。本発明のホッパー１は、図４、図５に示すように移動通路１３の入口５０側に取付けられている。貝表面清浄機は図４、図５に示す構成のものに限られず、任意の構成のものとすることができる。
【００１６】
移動通路１３は図６（ａ）に示すように、多数本の棒材１７を左列と右列に向かい合わせ、横に少し位置をずらして互い違いに並べ、棒材１７の上端から下端に向けて内側に傾斜させて、左右の棒材１７間に側面形状Ｖ字状の空間を形成し、この空間を移動通路１３としてある。左右列の夫々の棒材１７は上端部を架台１１に溶接とか他の手段で固定し、下端同士は互いに接触しないように、移動通路１３の進行方向に隙間をあけて下端同士を突き合わせて底面７７を形成し、底面７７の上を貝Sが脱落することなく移動できるようにすると共に、貝Sの表面から掻き落とされたゴミが棒材１７の隙間から落下して移動通路１３内に溜まらないようにしてある。また、図６（ａ）のように、左列と右列の夫々の棒材１７をその配列方向に間隔をあけて配置して、隣接する棒材１７の間の空間を開口部１８としてある。開口部１８は掃除具１５（図４）の爪１９の幅よりも広くして、爪１９がその開口部１８から移動通路１３内に突出できるようにしてある。左右列の棒材１７の上端は離れたまま（開口したまま）にして、移動通路１３を上面開口にしてある。
【００１７】
前記ホッパー１は、図４、図５に示すように取付け部６を架台１１の上に取付けることにより、移動通路１３の入口５０側上方に配置してある。この場合、ホッパー１はその投入ガイド３が架台１１の上方に突出するように取付けて、ホッパー１に貝を投入し易くしてある。ホッパー１に投入された貝Ｓは、縦向きとなって自重落下して斜め前下方の移動通路にガイドされ、貝Ｓの外周縁部がホッパー１の開口部５から外方に突出する。
【００１８】
前記貝移送体１４は図４、図５に示すように、無端のベルトコンベア、チェーン等の回転走行体２１の外周面に、その回転方向に間隔をあけて送り片２０を取付けてある。送り片２０には例えば硬質製のゴム板や樹脂板等が適し、その形状は移動通路１３のＶ字形状に合わせて先端部の幅を細くして、先端部が移動通路１３の上方開口部から移動通路１３内に入り込むものであるが、この場合、送り片２０の先端部が図４に示すように、回転しながらホッパー１内にも入り込むようにしてある。送り片２０は回転走行体２１を図４のモータ３３により同図の矢印Ｂ方向に回転させると、ホッパー１内に入り込んでホッパー１に投入された貝を下方に押して移動通路１３に送り込み、更に回転して、移動通路１３の出口６０側に送り出す。貝は回転しながら移動通路１３内を移送される。送り片２０は先端が図４に示すように回転方向後方に傾斜するように取付けて、移動通路１３内の貝を送り出し易くしてある。
【００１９】
前記掃除具１５ａ、１５ｂは、図４に示すように、一本の回転軸２２に多数の掻取り具８０が回転軸２２の軸方向に間隔をあけて取付られている。掻取り具８０は、図７に示すように、円盤状の取付盤２３の外周面にＬ字状の金属製の爪１９を取付けたものである。取付盤２３はゴム、樹脂等の弾性を有する素材により円盤状に一体成形され、その中心に軸取り付け孔２４が開口され、外周寄りに開口部２５を一定間隔で開口して、開口部２５の間の連結部２６に弾性を付与し、各連結部２６の外側にリング状の外輪部２７が形成されている。この外輪部２７の外周面にＬ字状の金属製の爪１９が取付けられている。
【００２０】
掻取り具８０は図７に示すものには限られず、図８に示すものとか、他の形状とすることができる。図８に示す掻取り具８０の取付盤２３は、ゴム、樹脂等の弾性を有する素材により円盤状に成形され、その外周縁寄りに多数枚の羽根４３が放射状に突設され、中心部に軸取り付け孔２４が開口されたものであり、夫々の羽根４３の側面に金属製の爪１９がボルトとナット等の固定具で取付けられている。爪１９の取付けには接着剤とか他の手段を使用することも出来る。爪１９は図８の掻取り具８０の回転方向（矢印方向）にく字状に曲げて、回転時に貝表面に接触し易くすると共に貝表面の汚れを掻き取り易くしてある。
【００２１】
掻取り具８０は、図７、図８に示すものには限られず、図９に示すものとすることもできる。図９に示す掻取り具８０は円盤状の取付盤２３の外周面に多数本の金属製のコイルバネ８１を均一間隔で取付け、各コイルバネ８１の先端部にチップ状の掻取り片８２を取付けたものである。取付盤２３は金属製、樹脂製、ゴム製等の任意の部材を円盤状に成形したものであり、中心に軸取り付け孔２４が開口されている。コイルバネ８１には密巻きして弾性を強くしたものを用いるのが掻取りの面から望ましいが、任意のコイルバネを用いることができる。掻取り片８２はチップ状には限らず、板状、突起状、爪状といった各種形状、構造のものを用いることができる。
【００２２】
図７〜図９の掻取り具８０は図４のように回転軸２２に一定間隔をあけて多数枚並べて取付けてある。この場合、隣り合う掻取り具８０の間に図４のスペーサ２８を介在させて掻取り具８０間に一定間隔を設けてある。
【００２３】
前記のように回転軸２２に多数の掻取り具８０を取り付けた掃除具１５ａ、１５ｂは、移動通路１３の左右両外側に移動通路１３に沿って配置し、しかも、両掃除具１５ａ、１５ｂの回転軸２２の間隔を入口５０側から出口６０側まで等間隔とし、夫々の掃除具１５ａ、１５ｂの爪１９の先端部が移動通路１３の開口部１８から移動通路１３内に突出するようにしてある。また、二本の掃除具１５ａ、１５ｂのうち一本は図４、図６（ｂ）に示すように移動通路１３の入口５０側から出口６０側に向けて下り傾斜に配置され、他の一本は移動通路１３の入口５０側から出口６０側に向けて上り傾斜に配置されている。このように傾斜させて配置することにより、一方の掃除具は入口５０側が貝の上部に、出口６０側が貝の下部に接触し、他方の掃除具は入口５０側で貝の下部に、出口６０側で貝の上部に接触して、掻取り具８０の爪１９が貝の表面全般（膨出している中心部から厚さの薄い外周部まで）に接触して、表面全般の汚れを掻き落とすことができるようにしてある。
【００２４】
二本の掃除具１５ａ、１５ｂは上下同方向に傾斜させることもできる。また、傾斜させずに水平に配置することもできる。また、前記二本の掃除具１５ａ、１５ｂ同士の間隔は入口５０側を広く、出口６０側を狭くしたり、これとは逆に入口５０側を狭く、出口６０側を広くしたりすることもできる。
【００２５】
掃除具１５ａ、１５ｂの夫々の回転軸２２の一方の端部には図４に示すように、回転伝達体３１ａ、３１ｂが取付けられている。回転伝達体３１としては、内部に空気の入った中空のタイヤとか、中実の棒タイヤといった各種構造のタイヤが使用されている。両タイヤ同士はその外周面同士で接触して十分に摩擦して、一方のタイヤの回転が他方のタイヤに伝達されるようにてある。
【００２６】
図４に示すように回転軸２２の回転伝達体３１ｂが取付けられた端部とは反対側の端部には、ユニバーサルジョイント３２が取付けられ、このユニバーサルジョイント３２を介して、傾斜している回転軸２２と、架台１１に水平に取り付けられている伝達軸３４とが回転自在に連結されている。伝達軸３４には図４、図５に示すように受けプーリー３５が取付けられており、その受けプーリー３５と、駆動源（モータ）３８の駆動プーリー３６とにベルト３７が張設され、モータ３８の回転が駆動プーリー３６―受けプーリー３５―伝達軸３４―回転軸２２と伝達されて回転軸２２が回転するようにしてある。モータ３８にはモータに代えてエンジン等の他の駆動源を用いることもできる。
【００２７】
モータ３８が回転すると、上記したようにベルト３７を介して、モータ３８の回転が駆動プーリー３６―受けプーリー３５―伝達軸３４―回転軸２２と伝達されて回転軸２２が回転し、掃除具１５ｂが回転する。掃除具１５ｂが回転すると、回転伝達体３１ｂが回転し、回転伝達体３１ｂと接触している掃除具１５ａ側の回転伝達体３１ａも同じ方向（共に移動通路に対して下向き方向）に回転する。回転伝達体３１ａの回転にあわせて、掃除具１５ａの回転軸２２も回転し、掃除具１５ａも回転する。本発明の貝表面清浄機においては、モータ３８を回転させると、掃除具１５ａ、１５ｂは、ともに移動通路１３に対して下向き方向に回転し、移動通路１３内の貝に引き下げ方向（移動通路１３の底方向）の力が働き、移動通路１３内で安定させて貝の付着物を掻き落とすことができる。
【００２８】
前記モータ３８に取り付けられた駆動プーリー３６と、掃除具の受けプーリー３５と、ベルト３７は、スプロケット及びチェーンで置き換えることも可能である。
【００２９】
また、上記においてはモータ３８によって直接回転させられるのは掃除具１５ｂ一本だけであるが、掃除具１５ａ側の回転軸２２にもプーリーを備えて、ベルトを掛けて回転軸２２を双方ともモータ３８によって回転させるようにしてもよい。
【００３０】
二本の掃除具１５ａ、１５ｂを回転させる機構は、前記タイヤを用いた回転伝達体３１ａ、３１ｂには限られず、他の任意の機構とすることができる。従って、例えば、掃除具１５ａ、１５ｂの夫々の回転軸２２の入口５０側の端部に回転伝達用のプーリーを取付け、伝達ベルトを掛けて、二本の掃除具１５ａ、１５ｂを回転させること等も可能である。また、回転伝達体３１ａ、３１ｂも、タイヤに限らず、ギア、板バネ、ドラムなど、任意のものを用いることができる。
【００３１】
本使用例のホッパー付き貝表面清浄機を用いて貝を清浄するには、以下のようにする。
１．図５に示すモータ３３を回転させて貝移送体１４の回転走行体３３を回転させる。同時に、図５に示すモータ３８を回転させて掃除具１５ｂの回転軸２２を回転させて、回転伝達体３１ｂ及び３１ａを介して掃除具１５ａの回転軸２２も回転させて、掃除具１５ａ、１５ｂを回転させる。
２．移動通路１３の入口５０側のホッパー１に帆立貝などの貝Ｓを手作業で投入する。
３．ホッパー１に投入された貝Ｓは、ホッパー１内で縦向きとなって自重落下し、更に回転する貝移送体１４の送り片２０が、ホッパー１内に入り込み、ホッパー１内の貝Ｓを押して、斜め前下方の移動通路に送り出す。この時、貝Ｓの周縁部は、ホッパー１のスリット５から外方に突出する。
４．移動通路１３内の縦向きの貝Ｓは貝移送体１４の送り片２０により押されて回転しながら、移動通路１３の入口５０側から出口６０側に移動される。
５．移動通路１３内の縦向きの貝Ｓが移動する間に、移動通路１３の左右両外側の掃除具１５ａ、１５ｂの爪１９が移動通路１３の開口部１８から移動通路１３内に突出して、貝表面の付着物が掻き落とされる。
６．移動通路１３内で付着物が掻き落とされた貝Ｓは送り片２０により押されて回転しながら移動通路１３内の出口６０から排出され、出口６０の下方に配置してある容器内に落下し、回収される。
７．前記１〜６の作業により、ホッパー１に投入される貝Ｓが次から次へと清浄される。
【００３２】
（その他の実施形態）
本発明のホッパーのポケットの形状は、図１〜図３に示すものには限られず、投入された貝を縦向きにして自重落下させることができ、貝の外周縁部をポケットの外方に突出させられる開口が開口されている限り、例えば筒状とする等、任意の形状とすることができる。
【産業上の利用可能性】
【００３３】
本発明のホッパー及び貝表面清浄機用ホッパーは、貝表面清浄機のみならず、他の貝処理機や、他の円盤状の工業製品等の研磨機等にも応用することができる。
【図面の簡単な説明】
【００３４】
【図１】本発明のホッパーの実施形態の一例を示す斜視図。
【図２】図１に示すホッパーを示す分解斜視図。
【図３】（ａ）は、図１に示すホッパーを示す平面図。（ｂ）は、（ａ）に示すホッパーを示す正面図。
【図４】図１に示すホッパーを取付けたホッパー付き貝表面清浄機の一例を示す正面図。
【図５】図１に示すホッパーを取付けたホッパー付き貝表面清浄機の一例を示す平面図。
【図６】（ａ）は、図４に示すホッパー付き貝表面清浄機の移動通路の様子を示す平面図。（ｂ）は、（ａ）に示す移動通路と回転軸との関係を示す説明正面図。
【図７】図４に示すホッパー付き貝表面清浄機に用いる爪取付盤の正面図。
【図８】図４に示すホッパー付き貝表面清浄機に用いる他の爪取付盤の正面図。
【図９】図４に示すホッパー付き貝表面清浄機に用いる他の爪取付盤の正面図。
【図１０】従来のホッパーの一例を示す斜視図。
【図１１】（ａ）は、図１０に示すホッパーを示す平面図。（ｂ）は、（ａ）に示すホッパーを示す正面図。
【符号の説明】
【００３５】
１  ホッパー
２  ポケット
２ａ  上方開口部
２ｂ  周壁
２ｃ  底
３  投入ガイド
４  下部
５  開口部
６  取付け部
７  リブ
８  中央開口縁
１１  架台
１２  支持脚
１３  移動通路
１４  貝移送体
１５ａ  掃除具
１５ｂ  掃除具
２０  送り片
【図１】
2006101725.tif 000003
【図２】
2006101725.tif 000004
【図３】
2006101725.tif 000005
【図４】
2006101725.tif 000006
【図５】
2006101725.tif 000007
【図６】
2006101725.tif 000008
【図７】
2006101725.tif 000009
【図８】
2006101725.tif 000010
【図９】
2006101725.tif 000011
【図１０】
2006101725.tif 000012
【図１１】
2006101725.tif 000013